(57)【要約】【課題】可撓性を有する表示面における視認面および非視認面の表示を制御し、表示面と視認面とが対応した表示装置を提供する。【解決手段】本技術の表示装置は、可撓性を有する表示部と、表示部の撓み量および撓み方向を検出する検出部と、検出部の検出結果に基づいて表示部の視認面および非視認面を判定する判定部と、判定部の判定結果に基づいて表示部の表示内容を制御する制御部とを備える。【選択図】図４
2013225052.tif 000002
【特許請求の範囲】
【請求項１】
可撓性を有する表示部と、
前記表示部の撓み量および撓み方向を検出する検出部と、
前記検出部の検出結果に基づいて前記表示部の視認面および非視認面を判定する判定部と、
前記判定部の判定結果に基づいて前記表示部の表示内容を制御する制御部と
を備えた表示装置。
【請求項２】
前記制御部は前記表示部の前記非視認面の表示内容を制御する、請求項１に記載の表示装置。
【請求項３】
前記制御部は前記非視認面の表示機能を停止する、請求項１に記載の表示装置。
【請求項４】
前記制御部は前記非視認面を固定画像または動画像に切り替える、請求項１に記載の表示装置。
【請求項５】
前記固定画像が一定時間ごとに切り替わる、請求項４に記載の表示装置。
【請求項６】
前記判定部は前記表示部の上面方向を視認面として判定する、請求項１に記載の表示装置。
【請求項７】
前記検出部は加速度センサを備え、前記表示部の撓み量を検出する、請求項１に記載の表示装置。
【請求項８】
前記検出部は曲げセンサを備え、前記表示部の撓み量を検出する、請求項１に記載の表示装置。
【請求項９】
前記加速度センサは前記表示部の重力に対する表示方向を検出する、請求項７に記載の表示装置。
【請求項１０】
前記検出部は圧力センサを備え、前記判定部は前記表示部の表面および裏面に検出された圧点によって視認面および非視認面を判定する、請求項１に記載の表示装置。
【請求項１１】
前記検出部は温度センサを備え、前記判定部は前記表示部の表面および裏面に検出された温点によって視認面および非視認面を判定する、請求項１に記載の表示装置。
【請求項１２】
前記検出部は光センサを備え、前記判定部は前記表示部の表面および裏面における光量の変化によって視認面および非視認面を判定する、請求項１に記載の表示装置。
【発明の詳細な説明】
【技術分野】
【０００１】
本開示は、可撓性基板を用いた表示装置に関する。
【背景技術】
【０００２】
液晶表示装置、有機ＥＬ表示装置および電気泳動型表示装置等に代表される表示装置では、より薄型且つ軽量な表示装置が求められている。従来の表示装置を構成するデバイスでは、ガラス基板が多く用いられているが、ガラス基板は重く、また割れやすいため一定の厚みが要求され、薄型化および軽量化には限界があった。
【０００３】
現在、プラスチック基板等の可撓性基板が薄型化および軽量化の限界を超える基板として注目されている。可撓性を有する基板を用いた表示装置（フレキシブル表示装置）としては、様々な表示装置が開示されている。例えば、表示装置全体を撓ませて使用する際に表示画像を縮小、拡大または分割したり、画像を歪ませたり、向きを反転させたりといった機能によって折り曲げを使用者インターフェースの一つとして利用する提案がなされている（例えば、特許文献１〜３参照）。
【先行技術文献】
【特許文献】
【０００４】
【特許文献１】特開２０１０−１５７０６０号公報
【特許文献２】特開２０１１−１１８３０３号公報
【特許文献３】特開２０１１−１１８２４５号公報
【発明の概要】
【発明が解決しようとする課題】
【０００５】
フレキシブル表示装置は、折り曲げて使用する機会が多く、折り曲げた際に裏側となる面は視認されなくなる。これは、例えば電車の中で新聞を折り曲げて読む姿を想像するとわかりやすく、使用者は折り曲げた新聞の裏側を見ることはない。裏側の面を見たい場合には、新聞全体を裏返す動作を行っている。即ち、使用者にとって視認する面とは表示装置の片側の面に限定されることが多い。
【０００６】
しかしながら、上記特許文献１〜３に開示されたフレキシブル表示装置では、使用者が視認していない面にも視認面と同様の画像が表示されていた。即ち、表示面（表示部）と、実際に視認されている視認面とが必ずしも対応していないという問題があった。
【０００７】
本技術はかかる問題点に鑑みてなされたもので、その目的は、可撓性を有する表示面を制御し、表示面と視認面とを対応可能とした表示装置を提供することにある。
【課題を解決するための手段】
【０００８】
本技術の表示装置は、可撓性を有する表示部と、表示部の撓み量および撓み方向を検出する検出部と、検出部の検出結果に基づいて表示部の視認面および非視認面を判定する判定部と、判定部の判定結果に基づいて表示部の表示内容を制御する制御部とを備えたものである。
【０００９】
本技術の表示装置では、表示部の撓み量および撓み方向を検出する検出部の検出結果に基づいて表示部の視認面および非視認面を判定する判定部を設け、判定部の判定結果に基づいて表示部の表示内容を制御する制御部を設ける。これにより、可撓性を有する表示部の視認面および非視認面の表示を制御することが可能となる。
【発明の効果】
【００１０】
本技術の表示装置によれば、表示部の視認面および非視認面を判定する判定部と、その判定結果に基づいて表示部の表示内容を制御する制御部とを設けるようにしたので、可撓性を有する表示装置の表示部と実際に視認されている視認面とを対応させることが可能となる。
【図面の簡単な説明】
【００１１】
【図１】（Ａ）本開示の一実施の形態に係る表示装置の水平配置図、（Ｂ）は湾曲配置図である。
【図２】（Ａ）は図１に示した表示装置の平面図、（Ｂ）は断面図である。
【図３】（Ａ），（Ｂ）は図１に示した表示装置の模式図である。
【図４】図１に示した表示装置のブロック図である。
【図５】図１に示した表示装置の構成図である。
【図６】図１に示した表示装置の概水平状態を説明する模式図である。
【図７】図１に示した表示装置の湾曲状態を説明する模式図である。
【図８】（Ａ）は変形例１に係る表示装置の表面を表す模式図、（Ｂ）は裏面を表す模式図である。
【図９】（Ａ）は適用例１の表側から見た外観を表す斜視図、（Ｂ）は裏側から見た外観を表す斜視図である。
【発明を実施するための形態】
【００１２】
以下、本開示の実施の形態について、図面を参照して詳細に説明する。なお、説明は以下の順序で行う。
１．実施の形態
１−１．表示装置の機能
１−２．表示装置の全体構成
１−３．表示装置の撓み位置および撓み量の検出方法
１−４．表示装置の機能構成
２．変形例
【００１３】
１．実施の形態
（１−１．表示装置の機能）
図１は本開示の一実施の形態に係る表示装置１の水平配置（図１（Ａ））および湾曲配置（図１（Ｂ））を模式的に表したものである。表示装置１は、例えば可撓性を有する電子ブック等として用いられ、例えば図１（Ａ）に示したように、表示部１００を平面上に閲覧することは勿論、図１（Ｂ）に示したように表示部１００を撓ませ、あるいは折り曲げて閲覧することが可能なものである。以下、本実施の形態における表示装置１の機能について説明する。
【００１４】
図２は本実施の形態における表示装置１の平面構成（図２（Ａ））および断面構成（図２（Ｂ）を表したものである。表示装置１は、後述する電子回路層（図示せず）によって構成された複数の画素がマトリクス状に配置されている表示部１００を備える。表示部１００は映像信号に応じて各画素を発光させることにより、静止画や動画の画像を表示する。この表示装置１は、全体が可撓性を有するフレキシブル表示装置であり、使用者はこの表示装置１を、図１（Ａ）に示したように平面状態で閲覧するだけでなく、表示装置全体を撓ませ、あるいは折り曲げて閲覧することが可能である。表示装置１を撓ませたり、折り曲げたりした場合には、図１（Ｂ）に示したように、表示装置１の表示部１００には使用者が視認することが可能な視認面Ｓの他に、視認することができない非視認面Ｒが生じる。
【００１５】
本実施の形態の表示装置１は、表示部１００の撓み量を検出すると共に、表示部１００における視認面Ｓと非視認面Ｒとを区別し、非視認面Ｒに、以下の機能を備えるものである。非視認面Ｒにおける機能としては、例えば、非視認面Ｒの画像表示を停止する表示停止機能、固定画像に切り替える固定画像表示機能あるいは書き換え頻度を遅くしたり、予め設定された動画等に切り替える所謂スクリーンセーバ機能が挙げられる。
【００１６】
表示停止機能は、上述したように非視認面Ｒに画像表示を行わず表示機能を停止するものであり、非視認面Ｒにおける画素の表示駆動を停止する、即ち、対応する各画素への電力供給を停止する、あるいは表示信号の入力を停止することによって行う。例えば、液晶表示装置では、バックライトの一部を消灯、有機ＥＬ（Electro Luminescence）表示装置では、部分的に発光を停止するという操作を行う。非視認面Ｒの画像表示を停止することにより、無駄な電力の消費が抑えられる。
【００１７】
固定画像表示機能としては、例えば非視認面Ｒを単一色の表示に切り替えるという例が挙げられる。特に、表示色を黒にする場合には、上記表示停止機能と同様に表示駆動を停止することで実現される。また、固定画像を、例えば表示装置１の筐体１１０と同一色、あるいは同調した色彩とすることにより、筐体１１０と一体感を持った独自性の高い商品が実現する。
【００１８】
スクリーンセーバ機能は、例えばパソコン（Personal Computer；ＰＣ）等のスクリーンセーバ機能と同様に、例えば一定時間ごとに画像を切り替えるものである。
【００１９】
このように視認面Ｓには使用者が要求する画像を表示し、非視認面Ｒには画像表示自体を停止、あるいは固定画像を表示させたり、画像の書き換え速度を遅くすることにより、表示装置１の表示領域（表示面）と、使用者による実際の視認領域（視認面Ｓ）とが対応するようになる。
【００２０】
（１−２．表示装置の全体構成）
表示装置１は、図２（Ｂ）に示したように、例えば、可撓性を有し画素を構成する表示素子（発光素子）が形成された第１基板１０と、第１基板１０と同様に可撓性を有する第２基板２０と、変位センサ３０とがこの順に積層された構成を有する。本実施の形態では、例えば第２基板側を表示面とし、画像を表示した状態で自由に湾曲することができる。
【００２１】
第１基板１０は、上述したように、例えば可撓性を有する基板上に画素を構成する表示素子が形成されたものである（いずれも図示せず）。基板は表示素子を支持するものであり、その材料としては、例えば樹脂材料、具体的には、例えば厚み２０〜２００μｍのポリエチレンテレフタレート，ポリエチレンナフタレート，ポリエーテルスルホン，ポリエーテルイミド，ポリエーテルエーテルケトン，ポリフェニレンスルフィド，ポリスルホン，ポリアリレート，ポリイミド，ポリアミド，ポリカーボネート，セルローストリアセテート，ポリオレフィン，ポリスチレン，ポリエチレン，ポリプロピレン，ポリメチルメタクリレート，アラミド，ポリ塩化ビニル，ポリ塩化ビニリデン，エポキシ樹脂，フェノール樹脂，ユリア樹脂，メラミン樹脂，シリコン樹脂またはアクリル樹脂等のプラスチック材料が挙げられる。
【００２２】
表示素子は、例えば、電子回路層と表示層とから構成されている。電子回路層としては、具体的には、例えばゲート電極，ゲート絶縁膜，チャネル層としての半導体層およびソース・ドレイン電極により構成された薄膜トランジスタ（ＴＦＴ；Thin Film Transistor）等が設けられている（いずれも図示せず）。これらはＣＶＤ（Chemical Vapor Deposition；化学気相成長）法等による成膜およびエッチング法、あるいは印刷法等の工程を経ることにより形成する。表示層は、例えば画素電極と共通電極との間に液晶層や有機ＥＬ層、あるいは電気泳動層を有するものである。
【００２３】
第２基板２０は、第１基板１０に設けられた表示素子を封止する封止基板としての機能を有する。第２基板２０の材料としては、上記第１基板１０と同様の材料を用いることができる。
【００２４】
図２（Ａ）に示したように、第２基板２０の表面には、表示装置１の撓み量および視認面を検出する透明な電極体、例えば変位センサ３０が配設されている。この変位センサ３０の材料としては、例えばＩＴＯ膜（Indium Tin Oxide）、ＩＺＯ膜（Indium Zinc Oxide）等の透明電極材料を用いることができる。この変位センサ３０は、例えば表示部１００と同じ領域に形成されている。
【００２５】
変位センサ３０は、上述したように、表示装置１の撓み量および視認面Ｓの検出手段である。撓み量および視認面Ｓを検出する変位センサ３０としては、例えば抵抗センサや曲げセンサ、加速度センサ等が挙げられる。
【００２６】
（１−３．表示装置の撓み位置および撓み量の検出方法）
可撓性を有する表示装置１では、図３（Ａ）に示したように、表示部１００の全体が視認面Ｓとなる場合、または図３（Ｂ）に示したように、表示部１００の一部に非視認面が形成される場合とがある。一般的に使用者が表示装置１を視認する場合には、重力に対して上面方向に表示面が向いていることが多い。従って、例えば表示装置１の標準表示面を上方向と規定し、それを基準に撓み方向を定義する。但し、例えば表示装置１を寝転がって使用する場合には、重力に対する表示面は逆転するため、表示面の設定は使用者によって切り替えることができる。
【００２７】
表示装置１の撓み量が図３（Ｂ）に示したように視認面Ｓおよび非視認面Ｒを区別できるまで撓んだかどうかを判定する方法としては、例えば「視認面Ｓの面積が表示部１００全体の２／３以下になったとき」等と定義できる。２／３に相当する面積の設定値は、例えば予め表示装置１内の記憶部１２２にデータテーブルとして格納しておけばよい。なお、この設定値は使用者が自由に設定できるものとしてもよい。
【００２８】
また、表示部１００を視認面Ｓと非視認面Ｒとに分割する湾曲位置は、例えば以下に説明するセンサを変位センサ３０として用いることで検出できる。このような変位センサ３０としては、例えば、既存のタッチパネルのタッチセンサとして用いられている抵抗センサを用いることができる。変位センサ３０（抵抗センサ）は、例えばＩＴＯやＩＺＯ等の透明電極からなる２枚の金属薄膜（抵抗膜）が対向配置され、この１対の金属薄膜が平面領域において、例えばマトリクス状に複数配置されている。変位センサ３０の対向する透明電極は抵抗を有し、一方の電極には所定の電圧が印加され、電極間の抵抗値がモニタされる。このような構成において、表示装置１が湾曲すると、湾曲した位置で２枚の金属薄膜間の抵抗値が変化し、他方の電極には湾曲に応じた電圧が発生するため、抵抗値の変化を検出することができる。従って、マトリクス状に配置された複数の１組の金属薄膜のうち、抵抗値が変化した金属薄膜を検知することで、変位センサ３０のどの位置が変化したかを検出することができ、表示部１００がどの位置で曲げられたかを検出できる。このようにして、表示装置１は変位センサ３０によって検出された抵抗変化量を検出して表示装置１の曲がり位置および撓み量を検出することができる。
【００２９】
（１−４．表示装置の機能構成）
表示装置１の具体的に制御方法の一例について説明する。図４は、本実施の形態に係る表示装置１の機能構成を示すブロック図である。
【００３０】
図４に示したように、表示装置１は、例えば表示部１００、Ａ／Ｄ変換部１２１、記憶部１２２、判定部１２３および制御部１２４を含んで構成されている。表示部１００は、図２に示したように、第１基板１０、第２基板２０および変位センサ３０の積層構造を有する。Ａ／Ｄ変換部１２１は、変位センサ３０によって例えばアナログ量として検出された表示部１００の撓み量をデジタル量に変換するものである。記憶部１２２は、使用者によって設定された設定値を保持すると共に、Ａ／Ｄ変換部１２１がデジタル量に変換した表示部１００の撓み量を一時的に保持しておくものである。判定部１２３は、記憶部１２２に格納された設定値と表示部１００の撓み量とを用いて、表示部１００に非視認面Ｒが発生したか否かを判定するものである。制御部１２４は、判定部１２３の判定に基づいて表示部１００における非視認面Ｒに対する各種制御を実行するものである。
【００３１】
本実施の形態では、使用者が表示装置１を図３（Ｂ）に示したように折り曲げると、表示装置１に設けられた変位センサ３０が、例えば使用者が表示部１００を操作した位置によって生じた電圧を検出する。変位センサ３０はこの電圧をＡ／Ｄ変換部１２１にアナログ量として出力する。
【００３２】
なお、ここでは変位センサ３０として加速度センサ３０Ａを用いた場合を説明する。変位センサ３０は、上記抵抗センサにおいて説明したように、必ずしも平面領域全体にマトリクス状に配置する必要はない。例えば、図５に示したように、表示部１００の裏面側のＸ軸上に３点、例えば表示部１００の両端部および中央部に加速度センサ３０Ａを配置してもよい。加速度センサ３０Ａは表示装置１の裏面側、即ち、第１基板１０側に設けられている。図６は、図５に示した表示装置１のＩ−Ｉ線における断面構成を表したものである。この表示装置１では、３点に配置した加速度センサ３０Ａからそれぞれ重力に対して表示面が向いている方向が取得される。重力に対して上面方向を通常の視認面Ｓとして設定し、図７に示したように表示装置１を大きく撓ませた場合には、例えば左端のセンサ（加速度センサ３０ａ）からは上方向（＋Ｙ方向）、中央のセンサ（加速度センサｂ）からは右上方向（＋Ｘ＋Ｙ方向）、左端のセンサ（加速度センサｃ）からは右下方向（＋Ｘ−Ｙ方向）に表示部１００の各位置における面が向いていることが検出される。更に、各センサ（加速度センサａ〜ｃ）間の距離を計算に加えることで図７に示したように、情報から見た射影面積Ｓ１を視認面Ｓとして認識させることができる。
【００３３】
なお、図４に示した構成では、Ａ／Ｄ変換部１２１がデジタル量に変換した表示部１００の撓み量を記憶部１２２に一時的に格納するようにしたが、本開示においてはかかる例に限定されない。例えば、Ａ／Ｄ変換部１２１がデジタル量に変換した表示部１００の撓み量を判定部１２３に直接出力するような構成としてもよい。
【００３４】
Ａ／Ｄ変換部１２１によってデジタル量に変換された撓み量は記憶部１２２に送信され、更に予め使用者によって設定された設定値と共に判定部１２３に送られる。判定部１２３では、使用者によって設定された設定値を閾値として表示装置１の撓み量の判定を行う。具体的には、変位センサ３０（加速度センサ３０Ａ）が検出した撓み量が閾値よりも大きな場合には、表示部１００の視認面Ｓおよび非視認面Ｒを区別し、制御部１２４へ非視認面Ｒへの表示切り替えの信号を出力する。制御部１２４は、例えばセンサ、回路等のハードウェアまたは中央演算処理装置（ＣＰＵ）とこれを機能させるためのソフトウェア（プログラム）によって構成されている。制御部１２４では、判定部１２３から送られてくる表示切り替え信号によって、表示装置１の表示部１００における非視認面Ｒの表示が制御される。即ち、表示部１００の非視認面Ｒにおける表示を上記のように表示停止や固定画像の表示あるいはスクリーンセーバ画像への切り替えが実行される。
【００３５】
前述したように、可撓性を有する、所謂フレキシブル表示装置は折り曲げて使用する機会が多く、折り曲げた際に裏側となる面は、使用者には視認されなくなる。しかしながら、従来用いられているフレキシブル表示装置では、表示装置全体を撓ませた際に表示画像を縮小、拡大または分割等の機能は有するものの、使用者が視認する面（視認面）と、画像が表示されている面（表示面）とは必ずしも対応していないという問題があった。そのため、折り曲げた際の裏側の面、即ち使用者が視認しない面は使用者以外へ画面提示することとなり、これは、使用者へのプライバシーの侵害へとつながる。また、表示を行うことで電力を消費し続けるデバイス、例えば液晶や有機ＥＬ等では、非視認面へ表示を行うことにより不要な電力を消費することとなる。
【００３６】
これに対して、本実施の形態の表示装置１では、表示部１００の撓み量および撓み方向を検出し、その検出結果に基づいて表示部１００の視認面Ｓおよび非視認面Ｒを判定して非視認面Ｒの表示内容を切り替えるようにした。これにより、可撓性を有する表示装置１の非視認面Ｒの表示を制御することが可能となる。
【００３７】
以上のように、本実施の形態の表示装置１によれば、使用者による表示部１００の視認面Ｓおよび非視認面Ｒを判定し、この判定結果に基づいて非視認面Ｒの表示内容を制御するようにした。よって、表示装置１の表示面と、使用者による視認面Ｓとを対応させることが可能となる。
【００３８】
これにより、使用者以外への画面提示が停止され、使用者のプライバシーを守ることができる。また、非視認面Ｒの表示内容を制御して画像表示を停止したり、固定画像を表示したり、スクリーンセーバ機能を用いることにより、非視認面Ｒにおける消費電力を停止あるいは低減することができる。即ち、表示装置１全体の電力消費を抑制することが可能となる。
【００３９】
次に、上記実施の形態の表示装置１の変形例について説明する。上記実施の形態では、変位センサ３０として抵抗センサや加速度センサ３０Ａを用いた例を説明したがこれに限らず、各種センサを用いることができる。なお、上記第１の実施の形態の表示装置１と同様の構成要素には同一符号を付し、適宜省略する。
【００４０】
２．変形例
（変形例１）
本変形例１に係る表示装置２は、上記実施の形態における変位センサ３０として圧力センサ３０Ｂを用いたものである。可撓性を有する表示装置２では、使用者が、通常手にとって使用することを想定すると、図８（Ａ）に示したように親指側の面を視認することとなる。そこで、表示装置２に使用者の持ち方を認識させることにより使用者が表示部１００のどちら側の面を視認しているかを検出することができると共に、視認面の面積計算においても精度よく算出することができる。
【００４１】
具体的には、例えば表示装置２に対する使用者の手の位置を得るためには、まず親指の側か、親指以外の側かを判別する。この判別は、表示装置２に対する手（指）の接触面積を用いることができる。図８（Ａ），（Ｂ）に示したように、親指による接触面積（斜線部Ｘ）に対して親指以外の指による接触面積（斜線部Ｙ１〜４）の合計接触面積（Ｙ）は大きくなる。例外として、親指と人差し指等、１本ずつの指で表示装置をつかむ場合もあるが、表示装置をある程度の時間見る場合には、おのずと数本の指をあてがうことになる。このため、通常は親指の接触面積Ｘ＜親指以外の指による合計接触面積Ｙとしてよい。また、接触面積以外に、接触の個数、即ち親指の接触点（１点）＜親指以外の指の接触点（２〜４点）によって判別してもよい。
【００４２】
本変形例では、表示部１００の視認面Ｓおよび非視認面Ｒを、上述した手（指）による接触面積または接触個数を基に判別し、この接触面積または接触個数を圧点として圧力センサ３０Ｂで検出させた点が上記実施の形態と異なる。
【００４３】
（変形例２）
本変形例２に係る表示装置３は、上記変形例１と同様に表示部１００の視認面Ｓおよび非視認面Ｒを、上述した手（指）による接触面積または接触個数を基に判別するものである。本変形例２では、変位センサ３０として温度センサ３０Ｃを用い、指による接触面積または接触個数を温点として検出する。
【００４４】
（変形例３）
本変形例３に係る表示装置４は、上記変形例１，２と同様に表示部１００の視認面Ｓおよび非視認面Ｒを、上述した手（指）による接触面積または接触個数を基に判別するものである。本変形例３では、変位センサ３０として光センサ３０Ｄを用いる。表示装置４における表示部１００は、表示装置４をつかむ手（指）によって表示装置４に当たる外光が遮光され光量が変化する。この光量の変化を指の接触面積として視認面Ｓおよび非視認面Ｒの判定を行う。
【００４５】
上記表示装置１〜４は、例えば次の適用例１に示した電子機器に搭載することができる。
【００４６】
（適用例１）
図９は、電子ブックの外観構成を表している。この電子ブックは、例えば、表示部２１０および非表示部２２０と、操作部２３０とを備えている。なお、操作部２３０は、（Ａ）に示したように非表示部２２０（筐体）の前面に設けられていてもよいし、（Ｂ）に示したように上面に設けられていてもよい。なお、表示装置１〜４は、図９に示した電子ブックと同様の構成を有するＰＤＡなどに搭載されてもよい。
【００４７】
この他、上記表示装置１〜４は、各種モバイル機器（ノート型ＰＣ，携帯オーディオプレーヤ，携帯電話，ＰＤＡ（Personal Digital Assistant）等の電子機器に用いられてもよい。また、ブックリーダとしてだけでなく、音楽プレーヤ，動画プレーヤ，写真ビューア，地図アプリ，ウエブブラウザなどを閲覧可能な表示装置および電子機器全般に使用することができる。
【００４８】
更に、まさに紙の態様を呈し、折り曲げが自由に行なえる電子新聞端末用デバイスや、店舗で使用するメニュー提示向けデバイス、デジタルサイネージ（広告用機器）等に適用することができる。
【００４９】
以上、実施の形態および変形例を挙げて本開示を説明したが、本開示は上記実施の形態等に限定されるものではなく、種々変形が可能である。例えば、上記実施の形態等では、表示装置１の面形状が矩形状である場合を例示したが、表示装置１の面形状はこれに限らず、他の形状、例えば正方形状や他の多角形状、円形状、楕円形状等様々な形状を取り得る。
【００５０】
また、上記実施の形態等において説明した各層の材料および厚みは限定されるものではなく、他の材料および厚みとしてもよい。
【００５１】
更に、上記実施の形態等では、表示装置１の構成を具体例を挙げて説明したが、全ての構成要素を備える必要はなく、また、他の構成要素を更に備えていてもよい。例えば、第１基板１０と第２基板２０との間に保護層や光学膜を設けてもよい。また、基板と電子回路層との間にバリア層を設けてもよい。バリア層を設けることにより、水分や有機ガスによる電子回路層および表示層の劣化を防止することができる。
【００５２】
更にまた、カラー表示を行うために表示素子の表示層の上部にカラーフィルター層、あるいは、カラーフィルターを有する可塑性基板およびこの可塑性基板を固定するための粘着剤層を設けてもよい。
【００５３】
なお、本技術は以下のような構成もとることができる。
（１）可撓性を有する表示部と、前記表示部の撓み量および撓み方向を検出する検出部と、前記検出部の検出結果に基づいて前記表示部の視認面および非視認面を判定する判定部と、前記判定部の判定結果に基づいて前記表示部の表示内容を制御する制御部とを備えた表示装置。
（２）前記制御部は前記表示部の前記非視認面の表示内容を制御する、前記（１）に記載の表示装置。
（３）前記制御部は前記非視認面の表示機能を停止する、前記（１）に記載の表示装置。
（４）前記制御部は前記非視認面を固定画像または動画像に切り替える、前記（１）に記載の表示装置。
（５）前記固定画像が一定時間ごとに切り替わる、前記（４）に記載の表示装置。
（６）前記判定部は前記表示部の上面方向を視認面として判定する、前記（１）乃至（５）のうちのいずれか１項に記載の表示装置。
（７）前記検出部は加速度センサを備え、前記表示部の撓み量を検出する、前記（１）乃至（６）のうちのいずれか１項に記載の表示装置。
（８）前記検出部は曲げセンサを備え、前記表示部の撓み量を検出する、前記（１）乃至（６）のうちのいずれか１項に記載の表示装置。
（９）前記加速度センサは前記表示部の重力に対する表示方向を検出する、前記（１）乃至（６）のうちのいずれか１項に記載の表示装置。
（１０）前記検出部は圧力センサを備え、前記判定部は前記表示部の表面および裏面に検出された圧点によって視認面および非視認面を判定する、前記（１）乃至（６）のうちのいずれか１項に記載の表示装置。
（１１）前記検出部は温度センサを備え、前記判定部は前記表示部の表面および裏面に検出された温点によって視認面および非視認面を判定する、前記（１）乃至（６）のうちのいずれか１項に記載の表示装置。
（１２）前記検出部は光センサを備え、前記判定部は前記表示部の表面および裏面における光量の変化によって視認面および非視認面を判定する、前記（１）乃至（６）のうちのいずれか１項に記載の表示装置。
【符号の説明】
【００５４】
１〜４…表示装置、１０…第１基板、２０…第２基板、３０…変位センサ、１００…表示部、１１０…筐体、１２１…Ａ／Ｄ変換部、１２２…記憶部、１２３…判定部、１２４…制御部、Ｓ…視認面、Ｒ…非視認面。
【図１】
2013225052.tif 000003
【図２】
2013225052.tif 000004
【図３】
2013225052.tif 000005
【図４】
2013225052.tif 000006
【図５】
2013225052.tif 000007
【図６】
2013225052.tif 000008
【図７】
2013225052.tif 000009
【図８】
2013225052.tif 000010
【図９】
2013225052.tif 000011